(57)【特許請求の範囲】
【請求項１】
少なくとも２錠の錠剤を収容可能な包装用フィルムのポケット部へ前記錠剤を投入する錠剤投入装置であって、
前記ポケット部は、前記錠剤を、２錠ずつのペア錠剤として、前記包装用フィルムの搬送方向に直交する方向であるフィルム幅方向に並べて収容可能となっており、
前記ペア錠剤を、各錠剤の厚さ方向が前記フィルム幅方向に対して略平行となる起立状態で、前記ポケット部内の前記フィルム幅方向における中央寄りの載置位置へ案内するシュータと、
該シュータによって案内され前記包装用フィルムの搬送に伴い搬送される前記ペア錠剤のそれぞれを、前記フィルム幅方向において外側へ倒し、前記ポケット部内へ収容するためのガイドとを備えていることを特徴とする錠剤投入装置。
【請求項２】
請求項１に記載の錠剤投入装置において、
前記ペア錠剤がほぼ同時に外側へ倒されて前記ポケット部内へ収容されるよう前記ガイド部が対称形状をなしていることを特徴とする錠剤投入装置。
【請求項３】
請求項１又は２に記載の錠剤投入装置において、
前記ガイドは、前記ペア錠剤の間に介在して前記ペア錠剤の上部位置に内側から当接することにより、前記ペア錠剤のそれぞれを少なくとも外側へ傾斜させる内側ガイド部を具備してなることを特徴とする錠剤投入装置。
【請求項４】
請求項３に記載の錠剤投入装置において、
前記ガイドは、さらに、前記ペア錠剤の外側両側部に位置し、前記内側ガイド部に当接して傾斜した前記ペア錠剤を外側から支持する外側ガイド部を具備してなることを特徴とする錠剤投入装置。
【請求項５】
長尺状の包装用フィルムに少なくとも２錠の錠剤を収容可能なポケット部を形成するポケット部形成手段と、
前記包装用フィルムのポケット部へ前記錠剤を投入する錠剤投入手段とを具備してなるＰＴＰシートの製造装置において、
前記ポケット部形成手段は、前記錠剤を、２錠ずつのペア錠剤として、前記包装用フィルムの搬送方向に直交する方向であるフィルム幅方向に並べて収容可能なポケット部を形成するようになっており、
前記錠剤投入手段は、
各錠剤の厚さ方向が前記フィルム幅方向に対して略平行となる起立状態で、前記ポケット部内の前記フィルム幅方向における中央寄りの載置位置へ案内するシュータと、
該シュータによって案内され前記包装用フィルムの搬送に伴い搬送される前記ペア錠剤のそれぞれを、前記フィルム幅方向において外側へ倒し、前記ポケット部内へ収容するためのガイドとを備えていることを特徴とするＰＴＰシートの製造装置。
【請求項６】
請求項５に記載のＰＴＰシートの製造装置において、
前記ペア錠剤がほぼ同時に外側へ倒されて前記ポケット部内へ収容されるよう前記ガイド部が対称形状をなしていることを特徴とするＰＴＰシートの製造装置。
【請求項７】
請求項５又は６に記載のＰＴＰシートの製造装置において、
前記ガイドは、前記ペア錠剤の間に介在して前記ペア錠剤の上部位置に内側から当接し、前記ペア錠剤のそれぞれを少なくとも外側へ傾斜させる内側ガイド部を具備してなることを特徴とするＰＴＰシートの製造装置。
【請求項８】
請求項７に記載のＰＴＰシートの製造装置において、
前記ガイドは、さらに、前記ペア錠剤の外側両側部に位置し、前記内側ガイド部に当接して傾斜した前記ペア錠剤を、外側から支持する外側ガイド部を具備してなることを特徴とするＰＴＰシートの製造装置。
【請求項９】
請求項５乃至８のいずれかに記載のＰＴＰシートの製造装置において、
前記ポケット部形成手段は、前記ポケット部の形成に際し、前記ポケット部内の前記ペア錠剤の載置位置の間に、収容空間側へ突出する突部を形成することを特徴とするＰＴＰシートの製造装置。
【発明の詳細な説明】
【技術分野】
【０００１】
本発明は、包装用フィルムのポケット部へ錠剤を投入する錠剤投入装置、及び、当該錠剤投入装置を具備してなるＰＴＰシートの製造装置に関する。
【背景技術】
【０００２】
錠剤が収容されるＰＴＰシートは、ＰＴＰ包装機（ブリスター包装機）によって製造される。具体的には、長尺状の包装用フィルムに形成されるポケット部に錠剤が収容され、アルミニウム等よりなるカバーフィルムが貼着されて、長尺状のＰＴＰフィルムが形成される。そして、ＰＴＰシートを小片単位に切り離すためのスリットなどが形成された後、打抜き装置によりシート単位に打ち抜かれる。
【０００３】
このようなＰＴＰシートにおいて、１つのポケット部に複数の錠剤を収容可能としたものもある（例えば、特許文献１参照）。
【特許文献１】実開平５−６６５号公報
【発明の開示】
【発明が解決しようとする課題】
【０００４】
ところが、このようなＰＴＰシートのポケット部に対し従来の錠剤投入装置で複数の錠剤を投入しようとすると、その投入に際し、ポケット部内で錠剤が重なり合ってしまったり、錠剤同士が干渉しポケット部の外へ錠剤が落ちてしまったりするおそれがある。
【０００５】
本発明は、上述した課題を解決するためになされたものであり、その目的は、複数の錠剤を収容可能なポケット部への錠剤の投入においてポケット部内での錠剤の重なり合いや干渉を抑制でき、もって、ポケット部に対する適切な錠剤の収容を可能とする錠剤投入装置及びＰＴＰシートの製造装置を提供することにある。
【課題を解決するための手段】
【０００６】
以下、上記目的等を解決するのに適した各手段につき項分けして説明する。なお、必要に応じて対応する手段に特有の作用効果等を付記する。
【０００７】
手段１．少なくとも２錠の錠剤を収容可能な包装用フィルムのポケット部へ前記錠剤を投入する錠剤投入装置であって、
前記ポケット部は、前記錠剤を、２錠ずつのペア錠剤として、前記包装用フィルムの搬送方向に直交する方向であるフィルム幅方向に並べて収容可能となっており、
前記ペア錠剤を、各錠剤の厚さ方向が前記フィルム幅方向に対して略平行となる起立状態で、前記ポケット部内の前記フィルム幅方向における中央寄りの載置位置へ案内するシュータと、
該シュータによって案内され前記包装用フィルムの搬送に伴い搬送される前記ペア錠剤のそれぞれを、前記フィルム幅方向において外側へ倒し、前記ポケット部内へ収容するためのガイドとを備えていることを特徴とする錠剤投入装置。
【０００８】
手段１の錠剤投入装置は、ペア錠剤としての２錠の錠剤を、フィルム幅方向に並べて収容可能なポケット部に対する錠剤の投入に用いられる。手段１では特に、シュータが、ペア錠剤を起立状態で、ポケット部内のフィルム幅方向における中央寄りの載置位置へ案内する。ここで起立状態にある錠剤は、その厚さ方向がフィルム幅方向に対して略平行とされている。そして、シュータによって案内され包装用フィルムの搬送に伴い搬送されるペア錠剤のそれぞれが、ガイドによって、フィルム幅方向において外側へ倒されてポケット部内へ収容される。このように、手段１によれば、各錠剤が最初は起立状態で投入され、その後、各錠剤がフィルム幅方向において外側へ倒されてポケット部内へ収容されるため、ポケット部内での錠剤の重なり合いを抑制することができる。その結果、ポケット部に対する適切な錠剤の収容が可能となる。
【０００９】
手段２．手段１に記載の錠剤投入装置において、
前記ペア錠剤がほぼ同時に外側へ倒されて前記ポケット部内へ収容されるよう前記ガイド部が対称形状をなしていることを特徴とする錠剤投入装置。
【００１０】
ペア錠剤が別々のタイミングで倒されてしまうと、先に倒された一方の錠剤が、ポケット部内を移動することで、他方の錠剤の収容領域へ収容されるおそれがあり、結果として、錠剤が重なり合うことが懸念される。この点、手段２によれば、上記ガイドが対称形状をなしていることでペア錠剤がほぼ同時に外側へ倒されてポケット部内へ収容されるため、ポケット部内での錠剤の重なり合いを確実に抑制することができ、その結果、ポケット部に対する適切な錠剤の収容が可能となる。
【００１１】
手段３．手段１又は２に記載の錠剤投入装置において、
前記ガイドは、前記ペア錠剤の間に介在して前記ペア錠剤の上部位置に内側から当接することにより、前記ペア錠剤のそれぞれを少なくとも外側へ傾斜させる内側ガイド部を具備してなることを特徴とする錠剤投入装置。
【００１２】
手段３によれば、ガイドの具備する内側ガイド部が、ペア錠剤の間に介在してペア錠剤の上部位置に内側から当接する。そして、この内側ガイド部の当接によって、ペア錠剤のそれぞれが外側へ傾斜させられ、倒される。これにより、さほど複雑な構成によらずとも、ペア錠剤を外側へ倒すことが可能となる。なお、「少なくとも外側へ傾斜させる」とあるのは、内側ガイド部によりペア錠剤が完全に倒されてポケット部に収容される場合だけでなく、傾斜したペア錠剤がガイドの終了により自然に倒れてポケット部に収容される場合を含める趣旨である。また、上述したように内側ガイド部がフィルム幅方向において対称形状をなすようにすれば、すなわち、ペア錠剤のそれぞれを同様に傾斜させるようにすれば、ペア錠剤をほぼ同時に外側へ倒すことができる。
【００１３】
ペア錠剤を同時に外側へ倒すという観点からは、次に示す構成を採用することが望ましい。
【００１４】
手段４．手段３に記載の錠剤投入装置において、
前記ガイドは、さらに、前記ペア錠剤の外側両側部に位置し、前記内側ガイド部に当接して傾斜した前記ペア錠剤を外側から支持する外側ガイド部を具備してなることを特徴とする錠剤投入装置。
【００１５】
手段４によれば、外側ガイド部がペア錠剤の外側両側部に位置し、この外側ガイド部によって、内側ガイド部に当接して傾斜させられたペア錠剤が外側から支持される。これにより、さほど複雑な構成によらずとも、ペア錠剤が傾斜した状態を保持することができ、例えばガイドの終了によって、ペア錠剤をほぼ同時に外側へ倒すことができる。したがって、ポケット部内での錠剤の重なり合いを確実に抑制することができ、その結果、ポケット部に対する適切な錠剤の収容が可能となる。
【００１６】
以上は、錠剤投入装置の発明として説明してきたが、ＰＴＰシートの製造装置の発明として実現することもできる。
【００１７】
手段５．長尺状の包装用フィルムに少なくとも２錠の錠剤を収容可能なポケット部を形成するポケット部形成手段と、
前記包装用フィルムのポケット部へ前記錠剤を投入する錠剤投入手段とを具備してなるＰＴＰシートの製造装置において、
前記ポケット部形成手段は、前記錠剤を、２錠ずつのペア錠剤として、前記包装用フィルムの搬送方向に直交する方向であるフィルム幅方向に並べて収容可能なポケット部を形成するようになっており、
前記錠剤投入手段は、
各錠剤の厚さ方向が前記フィルム幅方向に対して略平行となる起立状態で、前記ポケット部内の前記フィルム幅方向における中央寄りの載置位置へ案内するシュータと、
該シュータによって案内され前記包装用フィルムの搬送に伴い搬送される前記ペア錠剤のそれぞれを、前記フィルム幅方向において外側へ倒し、前記ポケット部内へ収容するためのガイドとを備えていることを特徴とするＰＴＰシートの製造装置。
【００１８】
手段５に記載のＰＴＰシートの製造装置は、ポケット部形成手段及び錠剤投入手段を具備してなる。手段５では、ポケット部形成手段がペア錠剤としての２錠の錠剤をフィルム幅方向に並べて収容可能なポケット部を形成し、このポケット部に対し、錠剤投入手段によってペア錠剤が投入される。
【００１９】
手段５では特に、錠剤投入手段の備えるシュータが、ペア錠剤を起立状態で、ポケット部内のフィルム幅方向における中央寄りの載置位置へ案内する。ここで起立状態にある錠剤は、その厚さ方向がフィルム幅方向に対して略平行とされている。そして、シュータによって案内され包装用フィルムの搬送に伴い搬送されるペア錠剤のそれぞれが、錠剤投入手段の備えるガイドによって、フィルム幅方向において外側へ倒されてポケット部内へ収容される。
【００２０】
手段５によれば、各錠剤が最初は起立状態で投入され、その後、各錠剤がフィルム幅方向において外側へ倒されてポケット部内へ収容されるため、ポケット部内での錠剤の重なり合いを抑制することができる。その結果、ポケット部に対する適切な錠剤の収容が可能となる。
【００２１】
手段６．手段５に記載のＰＴＰシートの製造装置において、
前記ペア錠剤がほぼ同時に外側へ倒されて前記ポケット部内へ収容されるよう前記ガイド部が対称形状をなしていることを特徴とするＰＴＰシートの製造装置。
【００２２】
手段６に記載のＰＴＰシートの製造装置によれば、上記手段２に記載の錠剤投入装置と同様の作用・効果が奏される。
【００２３】
手段７．手段５又は６に記載のＰＴＰシートの製造装置において、
前記ガイドは、前記ペア錠剤の間に介在して前記ペア錠剤の上部位置に内側から当接し、前記ペア錠剤のそれぞれを少なくとも外側へ傾斜させる内側ガイド部を具備してなることを特徴とするＰＴＰシートの製造装置。
【００２４】
手段７に記載のＰＴＰシートの製造装置によれば、手段３に記載の錠剤投入装置と同様の作用・効果が奏される。
【００２５】
手段８．手段７に記載のＰＴＰシートの製造装置において、
前記ガイドは、さらに、前記ペア錠剤の外側両側部に位置し、前記内側ガイド部に当接して傾斜した前記ペア錠剤を、外側から支持する外側ガイド部を具備してなることを特徴とするＰＴＰシートの製造装置。
【００２６】
手段８に記載のＰＴＰシートの製造装置によれば、手段４に記載の錠剤投入装置と同様の作用・効果が奏される。
【００２７】
手段９．手段５乃至８のいずれかに記載のＰＴＰシートの製造装置において、
前記ポケット部形成手段は、前記ポケット部の形成に際し、前記ポケット部内の前記ペア錠剤の載置位置の間に、収容空間側へ突出する突部を形成することを特徴とするＰＴＰシートの製造装置。
【００２８】
上記手段４及び８に記載の構成などでは、ペア錠剤の上部位置が外側ガイド部によって外側から支持されるのであるが、ペア錠剤の下端部が内側へ滑り込むと、ペア錠剤のうちの一方の錠剤が他方の錠剤の収容領域へ収容されるおそれがある。あるいは、ペア錠剤の一方の錠剤が先に倒れてしまった場合に、ポケット部内を移動して、他方の錠剤の収容領域へ収容されるおそれがある。これらの場合、錠剤が重なり合ってしまうことが懸念される。
【００２９】
この点、手段９によれば、ポケット部内のペア錠剤の載置位置の間に収容空間側へ突出する突部が形成されるため、ポケット部内での錠剤の移動やペア錠剤の下端部が内側へ滑り込むことが抑制され、ペア錠剤のうちの一方の錠剤が他方の錠剤の収容領域へ収容されることを抑制できる。したがって、ポケット部内での錠剤の重なり合いを確実に抑制することができ、その結果、ポケット部に対する適切な錠剤の収容が可能となる。
【発明を実施するための最良の形態】
【００３０】
以下、一実施形態について、図面を参照しつつ説明する。
【００３１】
図１（ａ）乃至（ｃ）に示すように、本実施形態におけるＰＴＰシート１は、複数のポケット部２を備えた包装用フィルム３と、ポケット部２を塞ぐようにして包装用フィルム３に取着されたカバーフィルム４とを有している。包装用フィルム３は、ＰＰによって構成され、光透過性を有している（ここでは、透明を呈している）。カバーフィルム４は、アルミニウムによって構成されている。
【００３２】
特に本実施形態では、上記ポケット部２が、シート上下方向（図１（ａ）中に記号Ｗで示す方向）に長い形状となっており、このシート上下方向Ｗに沿って、錠剤５を２錠ずつペアにして並べて収容できるようになっている。また、ポケット部２は、収容される錠剤５の中間部分（シート上下方向Ｗにおける中央部分）が錠剤５の収容空間側へ突出した形状に形成されており、この部分が「突部」としての区切部７となっている。これにより、ポケット部２内において、一方の錠剤５の他方の錠剤５の方への移動が規制されるようになっている。
【００３３】
さらに、ＰＴＰシート１の包装用フィルム３には、例えば２つのポケット部２、すなわち４錠の錠剤５が含まれた小片に切り離すことができるように複数の横スリット６が形成されている（もちろん縦スリットが形成されていてもよいし、スリットを省略してもよい）。
【００３４】
本実施形態では、このようなＰＴＰシート１を、専用の包装機にて製造する。そこで次に、「ＰＴＰシートの製造装置」としてのＰＴＰ包装機（ブリスタ包装機）１０の構成について説明することとする。
【００３５】
ＰＴＰ包装機１０は、錠剤５を包装用フィルム３に自動的に充填包装するものである。
【００３６】
図２に示すように、包装用フィルム３は、フィルム送りローラ１１とテンションローラ１２，１３とにより、加熱装置２１及び成形装置２２に送り込まれる。そして、加熱装置２１及び成形装置２２において、錠剤５が収容されるポケット部２（図１参照）が包装用フィルム３に成形される。ここで成形されるポケット部２は、包装用フィルム３の幅方向であるフィルム幅方向に錠剤５を並べて収容可能なものである。すなわち、図１（ａ）に示したシート上下方向Ｗは、製造段階において包装用フィルム３のフィルム幅方向に一致する。また、ここで成形されるポケット部２は、図１（ｃ）等に示した区切部７を有するものとなっている。ここで、本実施形態における加熱装置２１及び成形装置２２が「ポケット形成手段」を構成する。
【００３７】
加熱装置２１及び成形装置２２の下流側には、錠剤５を包装用フィルム３に収容するための投入装置３０が配設されている。これにより、上記ポケット部２が形成された包装用フィルム３が搬送され、上記ポケット部２が投入装置３０の下まで来ると、投入装置３０により各ポケット部２に対して錠剤５が自動的に投入され、錠剤５が各ポケット部２に収容される。ここで、本実施形態における投入装置３０が「錠剤投入手段」を構成する。また、この投入装置３０が「錠剤投入装置」に相当する。
【００３８】
投入装置３０による錠剤５の収容後、各ポケット部２における錠剤５の有無、収容された錠剤５の欠損、異物の混入等を見付け出すために検査が行われる。該検査は、ＣＣＤカメラ７１、照明装置７２などから構成される検査装置により行われる。
【００３９】
さらに、各ポケット部２に錠剤５が収容された包装用フィルム３の上に、アルミ製のカバーフィルム４が、テンションローラ１４，１５を介して送り込まれる。そして、包装用フィルム３とカバーフィルム４とが、一対のシールローラ１６Ａ，１６Ｂによって固着される。これによって、錠剤５の充填されたＰＴＰフィルム１８が製造される。かかるＰＴＰフィルム１８は、フィルム送りローラ１７により下流側へ搬送され、横スリット６が形成された後、図示しない打抜装置によってシート状（図１（ａ）参照）に打ち抜かれる。打ち抜かれたＰＴＰシート１は、その後、図示しない不良シート排出機構やＰＴＰシート集積機構などへ順に送られる。
【００４０】
本実施形態は、主として、上記投入装置３０に特徴を有するものであるため、次に投入装置３０の構成について説明する。
【００４１】
図３は、本実施形態における投入装置３０の概略構成を模式的に示す側面図である。また、図４（ａ）は図３のＸ−Ｘ線断面図であり、図４（ｂ）は図３のＹ−Ｙ線断面図である。
【００４２】
投入装置３０は、図示しない基台を備えており、この基台には、シュータ４０が設けられている。該シュータ４０は、重力による自然落下を利用して、錠剤５をポケット部２に投入するためのものである。シュータ４０は、その後部及び側部を形成する後壁４１と前部を形成する前壁４２とで構成されている。そして、これら後壁４１及び前壁４２により、シュータ４０の内部に、錠剤５が通過する通路４３が形成されている。該通路４３は、各ポケット部２に対して２錠の錠剤５を供給可能とすべく、フィルム幅方向（図４（ａ）の上下方向）に複数形成されている。また、該通路４３は、錠剤５を縦積状態で鉛直方向に一列に積載できるようになっており、錠剤５の厚さ方向がフィルム幅方向に一致するようになっている。
【００４３】
上記シュータ４０を形成する前壁４２の下端部には、フィルム搬送方向の下流側に延びるガイド５０が設けられている。ガイド５０には、図４（ａ），（ｂ）に示すように、その下面に、ガイド溝５３が形成されている。このガイド溝５３は、フィルム搬送方向の下流側へ向かうに従って、相互に外側へ広がっていく形状となっている。また、ガイド溝５３は、フィルム搬送方向の下流側へ向かうに従って、溝幅が徐々に広くなっている。例えば図４（ａ）では、ガイド溝５３の溝幅は、Ｗ１、Ｗ２、Ｗ３の順で広くなっている。
【００４４】
このガイド溝５３は、ガイド５０の下部から下方へ突出する内側ガイド部５１及び外側ガイド部５２によって形成されている。内側ガイド部５１は、フィルム幅方向における中央部に形成されており、下流側へ行くほど幅広（厚肉）になっている。一方、外側ガイド部５２は、フィルム幅方向における両側部に形成されており、前記内側ガイド部５１に対応させて下流側へ行くほど幅狭（薄肉）となっている。
【００４５】
次に、包装用フィルム３のポケット部２に対し、投入装置３０によって錠剤５が投入され、その後、ガイド５０によって錠剤５が収容される様子を、図５乃至図７に基づき説明する。なお、図７（ａ）は図５（ｃ）のＡ−Ａ線断面端面図であり、図７（ｂ）は図６（ａ）のＢ−Ｂ線断面端面図であり、図７（ｃ）は、図６（ｂ）のＣ−Ｃ線断面端面図である。
【００４６】
図５（ａ）に示すように、ポケット部２がシュータ４０下方の対応位置に来ていないうちは、シュータ４０から錠剤５が供給されない。続いて、図５（ｂ）に示すように、ポケット部２がシュータ４０下方の対応位置へ来ると、シュータ４０の最下部に位置する錠剤５が、包装用フィルム３のポケット部２に対し起立状態でポケット部２に投入される。この状態では、錠剤５の厚さ方向がフィルム幅方向に略平行となっている。
【００４７】
次に、図５（ｃ）に示すように、包装用フィルム３の搬送に伴ってポケット部２が下流側へ移動すると、上記起立状態のまま、錠剤５のほぼ上半分がガイド溝５３に収容された状態となる。この状態では、図７（ａ）に示すように、ポケット部２の区切部７を挟むようにして、各錠剤５が起立状態となっている。このときのガイド溝５３の溝幅は、錠剤５の厚さとほぼ同様になっている。
【００４８】
続いて、包装用フィルム３の搬送に伴うポケット部２の移動によってさらに錠剤５が下流側へ搬送されると、各錠剤５はそれぞれ、外側方向に傾斜していく。具体的には、図６（ａ）に示すように各錠剤５はガイド５０の中央位置あたりから傾斜し始め、図６（ｂ）に示すようにガイド５０の下流側端部に近い位置では、錠剤５はそれぞれ、外側方向に大きく傾斜する。これは、図７（ｂ）及び図７（ｃ）からも分かるように、内側ガイド部５１が下流側へ向かうにつれて幅広になっており、錠剤５が内側ガイド部５１との当接部分から外側方向への力を受けるためである。また、錠剤５の傾斜を許容すべく、ガイド溝５３の溝幅がフィルム搬送方向の下流側へ向かうにつれて広くなっているためである。このとき、錠剤５は、振動などの意図しない要因によって倒れてしまわないように、上記外側ガイド部５２によって外側から支持される。また、上述したようにポケット部２の中央部分には区切部７が形成されているため、錠剤５の下部が内側（すなわちペアとなる錠剤５の収容部側）へ滑り込んで倒れてしまうこともない。
【００４９】
次に、図６（ｃ）に示すように、ガイド５０から外れた位置まで錠剤５が搬送されると、錠剤５はそれぞれ、外側方向に完全に倒れてポケット部２に収容される。
【００５０】
なお、図５及び図６では、説明を簡単にするため１つのポケット部２を図示しているが、ポケット部２は、例えば図３に示した間隔で包装用フィルム３に設けられている。
【００５１】
以上詳述したように、本実施形態では、各錠剤５が最初は起立状態でポケット部２へ投入され、その後、各錠剤５がフィルム幅方向において外側へ倒されてポケット部２内へ収容される。具体的には、ガイド５０の具備する内側ガイド部５１が、錠剤５の間に介在して錠剤５の上部位置に内側から当接する。この内側ガイド部５１は下流側へ行くほど幅広となっているため、各錠剤５は徐々に外側へ傾斜させられる。そして、ガイド５０から外れた位置まで錠剤５が搬送されると、錠剤５はそれぞれ、外側方向に完全に倒れてポケット部２に収容される。これにより、ポケット部２内での錠剤５の重なり合いを抑制することができる。その結果、ポケット部２に対する適切な錠剤の収容が可能となる。
【００５２】
また、本実施形態では、内側ガイド部５１によって、ペアとなる錠剤５がほぼ同様に傾斜させられる。そして、さらに、内側ガイド部５１によって傾斜させられた錠剤５は、外側ガイド部５２によって外側から支持される。これにより、一方の錠剤５が先に倒れてしまうことがない。その結果、ポケット部２内での錠剤５の重なり合いを確実に抑制することができる。
【００５３】
さらにまた、本実施形態では、ポケット部２の中央部分に収容空間側へ突出する区切部７が設けられているため、外側へ傾斜させられた錠剤５の下部が内側（隣接する収容領域側）へ滑り込むことを抑制できる。これにより、上記外側ガイド部５２の作用と相俟って、一方の錠剤５が先に倒れてしまうことを確実に抑制でき、その結果、ポケット部２内での錠剤５の重なり合いを確実に抑制することができる。
【００５４】
以上、一実施形態について説明したが、このような実施形態に限定されるものではなく、本発明の趣旨を逸脱しない限りにおいて種々なる形態で実施できる。
【００５５】
（ａ）上記実施形態は、図１に示したような２錠の錠剤５を収容可能なポケット部２を対象とするものであった。
【００５６】
これに対し、例えば図８（ａ）に示すような４錠の錠剤５ａを収容可能なポケット部２ａにも適用可能である。この場合、図８（ｂ）に示すようなシュータ４０ａを採用すればよい。該シュータ４０ａは、錠剤５ａが通過する２つの通路４３ａ，４３ｂを有するものであり、その最下部において、上記２つの通路４３ａ，４３ｂの仕切りがなくなり、フィルム搬送方向に２錠の錠剤５ａを並べて供給可能となっている。このようなシュータ４０ａを用いれば、起立状態で４錠の錠剤５ａ（フィルム搬送方向に２錠、フィルム幅方向に２錠）をポケット部２ａに投入することができる。これにより、ガイド５０の構成はそのままで、図８（ａ）に示したポケット部２ａに対する錠剤５ａの収容が可能となる。
【００５７】
（ｂ）上記実施形態では、ガイド５０が外側ガイド部５２を備える構成であったが、錠剤５を外側へ倒すという観点からは、内側ガイド部５１だけを備える構成としてもよい。同様に、ポケット部２の中央部分に区切部７を形成するようにしているが、区切部７を省略することも可能である。
【００５８】
（ｃ）また、ガイド５０の断面形状も図７に示したものに限定されず、錠剤５の傾斜に合わせた断面形状にしてもよい。例えば、上記実施形態では図７に示したように内側ガイド部５１のコーナー部分が錠剤５に当接しているが、内側ガイド部５１の側面も錠剤５の傾斜に合わせて傾斜した形状にして、錠剤５に対し面で当接するようにしてもよい。
【図面の簡単な説明】
【００５９】
【図１】（ａ）はＰＴＰシートの表側を示す斜視図であり、（ｂ）はポケット部の平面図であり、（ｃ）はポケット部の部分拡大断面図である。
【図２】実施形態のＰＴＰ包装機を示す概略構成図である。
【図３】投入装置の概略構成を示す透視図である。
【図４】（ａ）は図３のＸ−Ｘ線断面図であり、（ｂ）は、図３のＹ−Ｙ線断面図である。
【図５】ポケット部に対して錠剤が投入されて収容される様子を示す説明図である。
【図６】ポケット部に対して錠剤が投入されて収容される様子を示す説明図である。
【図７】（ａ）は図５（ｃ）のＡ−Ａ線断面端面図であり、（ｂ）は図６（ａ）のＢ−Ｂ線断面端面図であり、（ｃ）は図６（ｂ）のＣ−Ｃ線断面端面図である。
【図８】（ａ）は別実施形態のポケット部の平面図であり、（ｂ）は別実施形態の投入装置の概略構成を示す側面図である。
【符号の説明】
【００６０】
１…ＰＴＰシート、２，２ａ…ポケット部、３…包装用フィルム、５，５ａ…錠剤、１０…ＰＴＰ包装機、２１…加熱装置、２２…成形装置、３０…投入装置、４０，４０ａ…シュータ、４１…後壁、４２…前壁、４３，４３ａ，４３ｂ…通路、５０…ガイド、５１…内側ガイド部、５２…外側ガイド部、５３…ガイド溝。
【図１】
0004537325.tif 000002
【図２】
0004537325.tif 000003
【図３】
0004537325.tif 000004
【図４】
0004537325.tif 000005
【図５】
0004537325.tif 000006
【図６】
0004537325.tif 000007
【図７】
0004537325.tif 000008
【図８】
0004537325.tif 000009